(57)【要約】【課題】連続した販売乃至は支払い過程において使用される偽造された支払い手段による詐欺の試みを貨幣又は紙幣により作動される自動装置、とりわけ自動販売機又はサービス提供自動装置において識別し、損害を制限する手段をとり、このような自動販売機の動作をより確実にすることである。【解決手段】上記課題は、支払い過程毎の支払い方法がもとめられ、どの支払い方法乃至は分割方法がクレジットに到達するまでに行われたかがもとめられ、支払い方法乃至は分割方法が支払い方法カウンタにおいて加算され及び／又は複数の販売過程において同様の貨幣又は紙幣がどのくらいの頻度で投入されたかがもとめられ、予め設定された制限規準に到達する場合には、信号が生成され、時限素子が活性化され、この時限素子は自動装置の動作を持続時間の間阻止することによって解決される。【選択図】　　　図１
2004078920.tif 000002
【特許請求の範囲】
【請求項１】
貨幣の投入及び／又は紙幣の投入の後の販売過程が充分なクレジット金額に到達した後でトリガされ乃至はサービスが提供される、貨幣又は紙幣により作動する自動装置、とりわけ自動販売機及びサービス提供自動装置に対する詐欺阻止のための方法において、
貨幣又は紙幣分割、すなわち支払い過程毎の支払い方法がもとめられ、どの支払い方法乃至は分割方法がクレジット（Ｋ）に到達するまでに行われたかがもとめられ、
支払い方法乃至は分割方法が支払い方法カウンタ（Ｚ）において加算され、
予め設定された制限規準に到達する場合には、信号（Ｆ）が生成され、
該信号（Ｆ）はロジック回路に供給され、時限素子（Ｔ）が活性化され、該時限素子（Ｔ）は前記自動装置の動作を持続時間（Ｔａｕｓ）の間阻止することを特徴とする、貨幣又は紙幣により作動する自動装置、とりわけ自動販売機及びサービス提供自動装置に対する詐欺阻止のための方法。
【請求項２】
信号（Ｆ）が生成される際の支払い方法カウンタの出力値（Ｚｘ）は調整可能であることを特徴とする、請求項１記載の方法。
【請求項３】
異なる分割すなわち異なる支払い方法を有する連続する支払い過程において、支払い方法カウンタ（Ｚ）はリセットされることを特徴とする、請求項１又は２記載の方法。
【請求項４】
貨幣の投入及び／又は紙幣の投入の後の販売過程が充分なクレジット金額に到達した後でトリガされ乃至はサービスが提供される、貨幣又は紙幣により作動する自動装置、とりわけ自動販売機及びサービス提供自動装置に対する詐欺阻止のための方法において、
貨幣又は紙幣分割、すなわち支払い過程毎の支払い方法がもとめられ、どのような支払い方法乃至は分割方法がクレジット（Ｋ）に到達するまでに行われたかがもとめられ、
複数の販売過程において同様の貨幣又は紙幣がどのくらいの頻度で投入されたかがもとめられ、
予め設定された制限規準に到達する場合には、信号（Ｆ）が生成され、
該信号（Ｆ）はロジック回路に供給され、時限素子（Ｔ）が活性化され、該時限素子（Ｔ）は前記自動装置の動作を持続時間（Ｔａｕｓ）の間阻止することを特徴とする、貨幣又は紙幣により作動する自動装置、とりわけ自動販売機及びサービス提供自動装置に対する詐欺阻止のための方法。
【請求項５】
時限素子（Ｔ）は時間関数（ＴＦ（ｐ））を有し、該時間関数（ＴＦ（ｐ））の曲線経過（持続時間、態様）はパラメタ化されうることを特徴とする請求項４記載の方法。
【請求項６】
貨幣又はこの貨幣の価値の紙幣の受領が持続時間（Ｔａｕｓ）の間阻止されるように、ロジック回路、すなわち時限素子（Ｔ）が貨幣又は紙幣検査器に作用することを特徴とする、請求項４又は５記載の方法。
【請求項７】
時限素子（Ｔ）の持続時間（Ｔａｕｓ）は調整可能であることを特徴とする、請求項４〜６のうちの１項記載の方法。
【請求項８】
時限素子（Ｔ）の持続時間（Ｔａｕｓ）はインクリメンタル機能を有し、時間は詐欺の試みが連続する場合にはその都度延長されることを特徴とする、請求項４〜７のうちの１項記載の方法
【請求項９】
２つの連続する販売過程の間の時間（ＴＶ）が測定され、
予め設定された個数（ＡＶ）の販売過程（ΣＴＶ）において予め設定された時間（ＴＶ−Ｖ）を下回る場合には、信号（Ｆ）が生成され、該信号（Ｆ）は動作すなわち販売を持続時間（Ｔａｕｓ）の間阻止することを特徴とする、請求項４〜８のうちの１項又は複数項記載の方法。
【請求項１０】
２つの連続する販売過程の間の時間（ＴＶ）が測定され、
複数の連続する販売過程においてそれらの総和（ＴＶＳ）がもとめられ、
この時間（ＴＶＳ）が制限値（（Ｔｍａｘ）ｎ）と比較され、
この制限値を下回る場合には信号（Ｆ）が生成され、該信号（Ｆ）は動作すなわち販売を持続時間（Ｔａｕｓ）の間阻止することを特徴とする、請求項４〜９のうちの少なくとも１項記載の方法。
【請求項１１】
時間（ＴＶ−Ｖ）及び／又は制限値（（Ｔｍａｘ）ｎ）は調整可能であることを特徴とする、請求項９又は１０記載の方法。
【請求項１２】
最大制限値（Ｍｉ　ｍａｘ）ならびに（Ｔｍａｘ）はダイナミックにかつ自動的に複数個（ＡＶ）の当該販売過程を介してもとめられ、割り増し量の値（ΔＭ、ΔＴ）を介して将来の制限目標値がもとめられることを特徴とする、請求項４〜１１のうちの少なくとも１項記載の方法。
【請求項１３】
複数の連続して行われる販売過程に亘る返却の回数がもとめられ、
予め調整可能な制限値に到達する場合にはエラー信号（Ｆ）が生成されることを特徴とする、請求項４〜１２のうちの少なくとも１項記載の方法。
【請求項１４】
信号（Ｆ）によって回路装置が活性化され、該回路装置によって無線又はＧＳＭ／電話を介する非常呼び出し通報／妨害通報がトリガされることを特徴とする、請求項４〜１３のうちの少なくとも１項記載の方法。
【請求項１５】
信号（Ｆ）によって写真媒体が活性化され、この写真媒体によって自動販売機のユーザが記録されることを特徴とする、請求項４〜１４のうちの少なくとも１項記載の方法。
【発明の詳細な説明】
【０００１】
【発明の属する技術分野】
本発明は、貨幣の投入及び／又は紙幣の投入の後の販売過程が充分なクレジット金額に到達した後でトリガされ乃至はサービスが提供される、貨幣又は紙幣により作動する自動装置、とりわけ自動販売機及びサービス提供自動装置に対する詐欺阻止のための方法に関する。
【０００２】
【従来の技術】
貨幣及び／又は紙幣により作動する自動販売機では、通常は支払い手段の投入の後で商品支給過程がトリガされ、この商品支給過程のトリガの前に検査装置において支払い手段が本物かどうか検査される。この場合、支払い手段が分割されて投入された場合には投入された支払い手段の合計値がもとめられ、この合計値が支給すべき商品の値に相応する時にはじめて商品支給過程がトリガされる。
【０００３】
公知の検査装置は、相応に感度良く調整されれば、一般的に偽造通貨を大きな確実性で検出する。しかし、この場合、調整された感度に応じて、それ自体は有効な支払い手段までもが拒絶されるか又は偽造された支払い手段を本物と識別するかのいずれかの事態が生じる。
【０００４】
過去において、ペテンにかけるつもりで本物の支払い手段と見まごうほどの偽造通貨が使用され、これらの偽造通貨が極度に感度良く調整された検査装置によってしか検出され得ないことが判明した。これは次のことを意味する。すなわち、通常使用される検査装置は新しい極度に感度良く調整可能な検査装置によって置き換えられなければならず、しかも有効な支払い手段の高い拒絶率も我慢しなければならない。
【０００５】
偽造された支払い手段による詐欺の試みでは通常は所定の値の支払い手段が繰り返し使用されることが判明した。従って、次のことを前提とすることができる。すなわち、連続する支払い過程に対して常に同じ値の支払い手段が使用される場合には、詐欺の試みが行われている。
【０００６】
さらに次のことを前提とすることができる。すなわち、所定の貨幣又は紙幣値が過度な（ノーマルでない）頻度で使用される場合にも同様に詐欺の試みが行われている。
【０００７】
【発明が解決しようとする課題】
本発明の課題は、貨幣又は紙幣により作動される自動装置、とりわけ商品自動販売機又はサービス提供自動装置において、連続する販売乃至は支払い過程において使用される偽造された支払い手段による詐欺の試みを識別し、損害を制限する手段をとり、これによりこのような自動販売機の動作をより確実にすることである。
【０００８】
【課題を解決するための手段】
上記課題は、まず第一に、貨幣又は紙幣分割（Ｍｕｅｎｚ−　ｏｄｅｒ　Ｂａｎｋｎｏｔｅｎｓｔｕｅｃｋｅｌｕｎｇ）、すなわち支払い過程毎の支払い方法がもとめられ、どの支払い方法乃至は分割方法がクレジットに到達するまでに行われたかがもとめられ、支払い方法乃至は分割方法が支払い方法カウンタにおいて加算され、予め設定された制限規準に到達する場合には、信号が生成され、この信号はロジック回路に供給され、時限素子が活性化され、この時限素子は自動装置の動作を持続時間の間阻止することによって解決され、
さらに、上記課題は、貨幣又は紙幣分割、すなわち支払い過程毎の支払い方法がもとめられ、どの支払い方法乃至は分割方法がクレジットに到達するまでに行われたかがもとめられ、信号が生成され、この信号はロジック回路に供給され、時限素子が活性化され、この時限素子は自動装置の動作を持続時間の間阻止することによって解決される。
【０００９】
【発明の実施の形態】
本発明では、貨幣又は紙幣分割、すなわち支払い過程毎の支払い方法がもとめられ、どの支払い方法乃至は分割方法がクレジットに到達するまでに行われたかがもとめられ、支払い方法乃至は分割方法が支払い方法カウンタにおいて加算され、予め設定された制限規準に到達する場合には、信号が生成され、この信号はロジック回路に供給され、時限素子が活性化され、この時限素子は自動装置の動作を持続時間の間阻止する。
【００１０】
この本発明の有利な実施形態は、請求項２〜３に記載されている。
【００１１】
さらに、本発明では、貨幣又は紙幣分割、すなわち支払い過程毎の支払い方法がもとめられ、どの支払い方法乃至は分割方法がクレジットに到達するまでに行われたかがもとめられ、複数の販売過程において同様の貨幣又は紙幣がどのくらいの頻度で投入されたかがもとめられ、予め設定された制限規準に到達する場合には、信号が生成され、この信号はロジック回路に供給され、時限素子が活性化され、この時限素子は自動装置の動作を持続時間の間阻止する。
【００１２】
この本発明のさらに別の有利な実施形態は請求項５〜１５に記載されている。
【００１３】
本発明により得られる利点は、とりわけ、支払い方法の検出によって、すなわちどのような貨幣又は紙幣分割が販売過程において使用されたか乃至はどのような貨幣又は紙幣値が過度に頻発に使用されるかの識別から、詐欺の試みが存在することが導出されることである。従って、この場合、詐欺を阻止する手段が開始される。
【００１４】
これらの手段は、まず最初に自動販売機又は支払い手段受領が特定の時間の間に動作を中止され、カメラ、有利にはデジタルカメラが活性化され、このカメラが自動販売機のユーザを写真撮影し、「非常呼び出し通報」がこの自動販売機の担当者に無線又はＧＳＭ／電話を介して送られることである。
【００１５】
【実施例】
次に本発明を詳しく記述する。
【００１６】
所望の商品を自動販売機から受け取るためには、ユーザによって通常はまず最初に商品が選択され、次いで貨幣又は紙幣（支払い手段）がこの自動販売機に投入される。投入された支払い手段はこの場合貨幣又は紙幣検査器において有効性に関して検査される。支払い手段が有効であると識別されると、所望の商品の購入価格クレジットＫ（Ｋａｕｆｐｒｅｉｓ）に到達しているかどうかを識別するために、これら支払い手段の個々の値が合計される。
【００１７】
その他に、支払い方法、すなわちクレジットＫに到達するまでに使用される貨幣及び／又は紙幣分割の組み合わせがもとめられる。これらの支払い方法は支払い方法カウンタＺにおいて加算され、この結果、どのような支払い方法が使用されたのかが識別される。支払い方法とは例えば次のようなものだと見なす。すなわち、クレジットに到達するまでに３個の１ドル貨幣の投入、又は２個の１ドル貨幣及び２個の５０セント貨幣の投入、である。
【００１８】
この場合、瞬時の支払い方法ＺＡ（ｎ）がその前に使用された支払い方法ＺＡ（ｎ−１）とは相違しているかどうかがもとめられる。瞬時の支払い方法がその前に使用された支払い方法に相応するならば、支払い方法カウンタＺは各々同様の支払い過程（販売過程）において値１だけ高められる。以前の支払い方法とは異なる支払い方法が使用される場合には、場合によっては中断される詐欺の試みをフィルタリングするために、カウンタはまず最初は最新の値に留まる。支払い方法カウンタＺが予め調整可能な制限値Ｚｘより小さい出力値を有する限りは、所望の商品の購入価格に到達すると販売過程がトリガされ、ユーザにより選択された商品が支給される。
【００１９】
支払い方法カウンタＺが予め調整可能な値Ｚｘに到達するやいなや、詐欺的な支払い過程が行われていると見なされる。
【００２０】
例えば５回連続して同一の支払い方法ＺＡが使用された場合、詐欺の試みが行われていると仮定され得る。同様に、例えば最近の１０回の販売において貨幣の貨幣選択の所定の制限値Ｍｉ　ｍａｘに到達する場合には、詐欺と見なすことができる。
【００２１】
従って、支払い方法カウンタＺの出力値が制限規準Ｚｘ（例えば値５）と比較されて、この制限規準に達している場合にはエラー信号Ｆが生成される。有利には、制限規準は自動販売機の管理運営者によって調整可能である。この場合、エラー信号Ｆが生成され、このエラー信号Ｆが販売過程の中断をトリガする。
【００２２】
このために、エラー信号Ｆ（識別された詐欺の試み）は評価ロジックに供給される。するとこの評価ロジックは様々なシーケンスをトリガする：まず最初に時限素子Ｔが活性化され、この時限素子Ｔは自動販売機の支払い手段受領を所定の時間Ｔａｕｓの間中止させ、この結果、更なる詐欺の試みは行われない。この場合、以前詐欺の試みが行われた際の値を有する支払い手段の受領のみが阻止されるように構成することができる。有利には、支払い手段受領が阻止される時間Ｔａｕｓは調整可能に構成される。時間Ｔａｕｓの経過後に支払い手段カウンタＺ（販売過程カウンタ）は０にリセットされる。
【００２３】
場合によっては、時限素子Ｔがインクリメンタル機能を有するように構成することもでき、ｎ回の詐欺の試みの後に自動販売機が完全に動作を停止されるまで、エラー信号（詐欺の試み）が連続する場合に時間がその都度延長される。
【００２４】
時限素子Ｔは場合によっては時間関数ＴＦ（ｐ）を有し、この時間関数ＴＦ（ｐ）の曲線経過（持続時間、態様）はパラメータ化される。
【００２５】
評価ロジックは、エラーの場合（詐欺の試みが識別された場合）にアラームサイレンを活性化する。
【００２６】
さらに、評価ロジックは、写真媒体、有利にはデジタルカメラを活性化し、この結果、ユーザが写真撮影される。
【００２７】
さらに、評価ロジックは非常呼び出し通報をトリガし、この非常呼び出し通報は無線又はＧＳＭ／電話を介して故障係に、場合によっては自動販売機管理運営者に転送される。
【００２８】
本発明の更に別の実施形態では、支払い方法カウンタＺが評価され、どのくらいの頻度で同様の貨幣又は紙幣が支払い過程において使用されたかがもとめられる。この頻度が予め設定された制限規準を超える場合には、我々は同様にエラー信号Ｆを生成し、前述のように自動販売機の動作を阻止する。
【００２９】
本発明の更に別の実施形態では、２つの連続する販売過程の間の時間ＴＶが測定される。非常に短い時間で、すなわちすぐに連続する販売過程の場合には、詐欺の試みが行われていると仮定することができる。従って、この時間ＴＶは予め設定された制限値ＴＶ−Ｖと比較され、ＴＶがこの制限値より小さい場合には、エラー信号Ｆが生成され、前述のように自動販売機の動作が阻止される。
【００３０】
複数の連続する販売過程の間の時間ＴＶの総和ＴＶＳがもとめられ、制限値（Ｔｍａｘ）ｎ）と比較される。総和ＴＶＳがこの制限値よりも小さい場合には、エラー信号Ｆが生成され、前述のように自動販売機の動作が阻止される。
【００３１】
有利には、制限値（時間ＴＶ−Ｖ及び／又は（Ｔｍａｘ）ｎ）は自動販売機管理運営者（設置者）によって調整可能である。また、最大制限値がダイナミックにかつ自動的にもとめられるように構成することもできる。このために、複数個の販売過程に対して時間ＴＶが検討され、平均的な「ノーマル時間」がもとめられる。この値に割り増し量の値ΔＭ、ΔＴが加算され、これから結果的に得られる値が目標制限値Ｍｉ　ｍａｘ乃至はＴｍａｘとして使用される。
【００３２】
この場合、Ｍｉ　ｍａｘは移動しながら（ｇｌｅｉｔｅｎｄ）見て最近の支払い過程内の各々個別の価値の貨幣Ｍの最大個数を意味し、Ｔｍａｘは最近の販売過程の間の休止時間の許容される総和（ＴＶＳ）を意味する。
【００３３】
通常は、自動販売機には返却ボタンが設けられており、先に投入した貨幣又は紙幣金額を返却させることが可能であり、この場合必ずしも本来投入された貨幣又は紙幣が返却されるわけではなく、投入金額に相応する金額が別個の格納装置から支払われる。最初に「無効な」支払い手段が投入され、次いで返却ボタンによって有効な支払い手段が返却されてしまうことを阻止するために、相次いで連続的に行われる返却過程の回数をもとめ、カウントする。もとめられた回数が通常の制限値を超える場合には、エラー信号Ｆが生成され、上述のように自動販売機の動作が阻止される。この通常の制限値もまた有利には自動販売機管理運営者／設置者によって調整可能である。
【００３４】
上記の方法のシーケンスは例として３つのフローチャートに示され、以下において詳しく説明される。これらのプログラムフローチャートはＤＩＮ６６００１に従って構成されている。
【００３５】
図１には貨幣又は紙幣により作動される自動販売機における悪用の阻止のための方法のシーケンス全体が図示されている。スタート地点ＦＤ１．０によって機器が始動する。個数ＡＶの任意の貨幣又は紙幣を投入した後で、まず最初に必要なクレジットＫに到達したかどうかが検査される。このクレジットに到達していれば、最後の支払い又はクレジット過程の終了と次の支払い又はクレジット過程の開始との間の休止時間ｔｐｉが検出され、移動しながらもとめられた値Σ（ｔｐｉ）ｎと比較される。この値Σ（ｔｐｉ）ｎは複数の販売過程から結果的に得られたものである。次いで、貨幣がその投入された頻度及びその価値において移動しながら見て最近の支払い過程内で検査される。分岐でもとめられた休止時間ｔｐｉが２つの販売過程の間で移動しながら計算された値の枠内に留まり、さらに同時に同じ価値の貨幣の総和が予め設定された値よりも小さいことがもとめられる場合に、販売が開始される。この計算の際に販売の間の複数の休止時間ｔｐｉが移動しながら計算された休止時間の総和から結果的に得られる所定の制限値よりも小さい場合には、詐欺の試みが導出され、自動販売機の阻止が特定の時間Ｔａｕｓに亘って行われる。同じ貨幣の個数が所定の予め設定された値を超えることが検出された場合にも、同様に詐欺の試みが導出され、特定の時間に亘る自動販売機の阻止をもたらす。阻止時間Ｔａｕｓの経過した後にはこの自動販売機は再び自動的に始動する。
【００３６】
図２には投入された同じ貨幣の頻度をもとめるための方法の検査シーケンスが図示されている。スタート地点ＦＤ１．０によって機器が始動する。個数ＡＶの任意の貨幣又は紙幣を投入した後で、まず最初に必要なクレジットＫに到達したかどうかが検査される。次いで、どの貨幣タイプＭｉがどのくらいの頻度で投入されたかが検査され、次いで各々の価値の貨幣の最大個数Ｍｉ　ｍａｘが移動しながら見て最近の支払い過程内にあるかどうかが検査される。同じ価値の貨幣の予め設定された最大個数Ｍｉ　ｍａｘを上回る場合には、詐欺の試みが想定され、例えば自動販売機の時間に依存する阻止が開始される。さもなければ選択された商品が支給される。
【００３７】
図３には最近の販売過程の休止時間の間の許容される休止時間をもとめるための方法の検査シーケンスが図示されている。スタート地点ＦＤ１．０によって機器が始動する。個数ＡＶの任意の貨幣又は紙幣を投入した後で、まず最初に必要なクレジットＫに到達したかどうかが検査される。次いで、瞬時のクレジット過程とその前のクレジット過程との間の休止時間ｔｐｉが検出され、既に格納された休止時間に移動しながらもとめられる総和Σ（ｔｐｉ）ｎとして所定の個数の休止時間に亘って加えられ、予め調整された最大許容制限値Ｔｍａｘと比較される。この場合、それぞれ所定の個数の休止時間はシフトレジスタにおいて行われるように合計され、新しい休止時間をもとめる際には最初に測定された休止時間が破棄される（ファーストイン・ファーストアウト）。瞬時の販売過程時間が複数の販売に亘って基本的に短く測定される場合、ここから詐欺の試みが導出され、例えば自動販売機の時間に依存する阻止が開始される。さもなければ選択された商品が支給される。阻止時間Ｔａｕｓの経過した後にはこの自動販売機は再び自動的に始動する。
【図面の簡単な説明】
【図１】貨幣又は紙幣により作動される自動販売機における悪用の阻止のための方法のシーケンス全体のフローチャートである。
【図２】投入された同じ貨幣の頻度をもとめるための方法の検査シーケンスのフローチャートである。
【図３】最近の販売過程の休止時間の間の許容される休止時間をもとめるための方法の検査シーケンスのフローチャートである。
【符号の説明】
Ｋ　クレジット、商品の値段、販売価格
Ｚ　支払い方法カウンタ
ＡＶ　貨幣又は紙幣の数
ＺＡ（ｎ）　支払い方法（様々な貨幣、紙幣）
ＺＡ（ｎ−１）　最近使用された支払い方法
Ｚｘ　支払い方法カウンタの（調整可能な）制限値
Ｆ　生成されるエラー信号
Ｔ　時限素子
ｔｐｉ　販売過程の間の休止時間
ＴＶ　（過程１のクレジット到達と過程２の貨幣の投入との間の）連続する販売過程の間の時間
ＴＶＳ　複数の連続する販売過程の時間ＴＶの総和
ＴＶ−Ｖ　連続する販売過程に対する設定時間
ＴＦ（ｐ）　時限素子Ｚの時間関数
（Ｔｍａｘ）ｎ　販売過程ＴＶＳの合計時間に対する制限値（目標値）
Ｔａｕｓ　阻止の持続時間
Ｍｉ　ｍａｘ　貨幣／紙幣タイプ又は価値の最大制限値
ΔＭ　貨幣／紙幣タイプの個数の割り増し量の値
ΔＴ　合計時間ΣＴＶに対する割り増し量の値
【図１】
2004078920.tif 000003
【図２】
2004078920.tif 000004
【図３】
2004078920.tif 000005